(57)【要約】【課題】    収納を犠牲にすることのない、座って使いやすい洗面化粧台の提供を可能とすること。更に、洗面カウンター下の収納部は座ったままでも物が出し入れできるようにして、特に車いす使用者が収納を自由に使いこなせる洗面化粧台の提供を可能とすることである。【解決手段】  本発明では、洗面カウンターと、前記洗面カウンターの下部でかつ、前記洗面カウンターの前面エプロンより後方に取り付けられたキャビネットと、前記キャビネットの下端で床より高い位置に棚板を設け、かつ、前記棚板の前面部に取り付けられ、前方へ傾倒するように開閉自在に取り付けられた扉とからなる洗面化粧台とする。【選択図】  図１
2006087517.tif 000002
【特許請求の範囲】
【請求項１】
洗面カウンターと、前記洗面カウンターの下部でかつ、前記洗面カウンターの前面エプロンより後方に取り付けられたキャビネットと、前記キャビネットの下端で床より高い位置に棚板を設け、かつ、前記棚板の前面部に取り付けられ、前方へ傾倒するように開閉自在に取り付けられた扉とからなる洗面化粧台。
【請求項２】
前記棚板と、床との間に腰掛け状態のつま先を入れることができるつま先用空間を形成したことを特徴とする請求項１に記載の洗面化粧台。
【請求項３】
前記扉の開き角度が、使用者が座ったまま開いてもじゃまにならない程度の角度になっていることを特徴とする請求項１または２に記載の洗面化粧台。
【請求項４】
前記扉の上端部と洗面カウンタ−下部との間に空間を設けたことを特徴とする請求項１乃至３のいずれかに記載の洗面化粧台。
【請求項５】
前記棚板と前記扉が、前記キャビネットに対して着脱自在に取り付けられていることを特徴とする請求項１乃至４のいずれかに記載の洗面化粧台。
【請求項６】
洗面カウンターと、前記洗面カウンターの下部でかつ、前記洗面カウンターの前面エプロンより後方に取り付けられたキャビネットと、前記キャビネットに取り付けられ、前方へ傾倒するように開閉自在に取り付けられた扉と、からなる洗面化粧台において、前記扉の内側に荷物収納部を備えることを特徴とする洗面化粧台。
【発明の詳細な説明】
【技術分野】
【０００１】
本発明は、いすや車いすに座って使用するのに適した洗面化粧台に関するものである。
【背景技術】
【０００２】
洗面化粧台において、収納できるタイプと、腰掛けタイプを兼用したものは一般的に知られている。（例えば、特許文献１参照。）このようなタイプの洗面化粧台では、洗面カウンターの下部を収納部としても膝用空間としても使用できるようにキャビネットが構成されており、極めて実用的であり、使用者の意思により使い方を選択できるという利点がある。
【０００３】
また、前面が開口した箱体の上面に洗面ボウル及び水栓金具を有する洗面カウンターを設置し、洗面ボウルからの排水管及び水栓金具への給水管を同箱体内に収容配管し、同箱体の前面開口部の下縁部分に蹴込み板を後方へ引退させて配設固定し、該蹴込み板と同前面開口部の上縁部分との間に前方へ傾倒した一対の扉パネルを配設し、該両扉パネルを両開き式に前方へ開閉自在となるように箱体に枢着した構成とすることにより、同箱体内の残存スペースが物品収納部として支障なく活用されるという効果をもつ洗面化粧台も知られている。（例えば、特許文献２参照。）
【特許文献１】特開２００２−１５９４０８公報
【特許文献２】特開平０８−１２６５８５公報
【発明の開示】
【発明が解決しようとする課題】
【０００４】
しかし、特許文献１のようなタイプでは腰掛けタイプとして使用する場合は収納を犠牲にしなければならないという不具合があった。
【０００５】
一方、特許文献２のようなタイプでは、車いす等で使用する場合でも、ある程度の収納を確保することはできるものの、座ったまま扉を開けようとする場合、開いた扉が邪魔になるため、使用者はいすを後方へひいて扉を開けねばならず、中から物を出し入れするためにはいすから降りてしゃがみ込み手を伸ばす必要があった。特に車いすの使用者にとっては、収納を自由に使いこなすことは困難であった。
【０００６】
そこで、本発明は、上記問題を解決するためになされたもので、本発明の課題は、収納を犠牲にすることのない、座って使いやすい洗面化粧台を提供することである。  
【０００７】
更に、座ったままでも物が出し入れできる洗面カウンター下の収納部を設けることにより、特に車いす使用者が収納を自由に使いこなせる洗面化粧台を提供することである。
【課題を解決するための手段】
【０００８】
上記目的を達成するために請求項１記載の発明によれば、洗面カウンターと、前記洗面カウンターの下部でかつ、前記洗面カウンターの前面エプロンより後方に取り付けられたキャビネットと、前記キャビネットの下端で床より高い位置に棚板を設け、かつ、前記棚板の前面部に取り付けられ、前方へ傾倒するように開閉自在に取り付けられた扉とからなる洗面化粧台とする。
【０００９】
その結果、収納を犠牲にすることのない、座って使いやすい洗面化粧台の提供を可能とした。更に、洗面カウンター下の収納部は座ったままでも物が出し入れできるため、特に車いす使用者が収納を自由に使いこなせる洗面化粧台の提供を可能とした。
【００１０】
請求項２記載の発明によれば、前記棚板と、床との間に腰掛け状態のつま先を入れることができるつま先用空間を形成したことを特徴とする請求項１に記載の洗面化粧台とする。
【００１１】
その結果、請求項１の効果に加え、使用者にとってはつま先に余裕ができ、座ったままでもよりゆったりと洗面化粧台を使用することができる。さらに車いすのフットレストにつま先を載せたままより奥まで洗面化粧台にアプローチできるため車いす使用者の使い勝手が向上する。
【００１２】
請求項３記載の発明によれば、前記扉の開き角度が、使用者が座ったまま開いてもじゃまにならない程度の角度になっていることを特徴とする請求項１または２に記載の洗面化粧台とする。
【００１３】
その結果、扉を開けたときでも、使用者の脚膝に扉をぶつけることなく使用できるため扉開閉時の安全性がさらに高まるとともに、扉を閉めるときにも扉をつかむ位置が高い位置であるため閉める時の動作がし易くなる。
【００１４】
請求項４記載の発明によれば、前記扉の上端部と洗面カウンタ−下部との間に空間を設けたことを特徴とする請求項１乃至３のいずれかに記載の洗面化粧台とする。
【００１５】
その結果、扉を開けるときに扉の上部に手をいれて容易につかむことができるようになり、扉に別途把手をつける必要がなくなる。次に、扉の開閉時に、使用者が扉の上部のどこをつかんでも開閉ができ、扉を開けたときに必要以上に扉の前出が大きくならないため、座ったままで扉を開閉しても扉をよけるために後退する必要がなくなる。さらに、扉を閉めるときに扉の中央部を持っていても洗面ボウルと扉の間で指をはさむ危険を回避できる。
【００１６】
請求項５記載の発明によれば、前記棚板と前記扉が、前記キャビネットに対して着脱自在に取り付けられていることを特徴とする請求項１乃至４のいずれかに記載の洗面化粧台とする。
【００１７】
その結果、以上の効果に加えさらに、使用者の身体状況や生活環境の変化に応じて、収納部が不要になった場合は外側板と内側板から取り外すことができ、洗面カウンター下の空間をより広くして使用することができるようになる。また、車いすで側面から洗面化粧台にアプローチした場合でも外側板がじゃまになることはなくよりアプローチ性に優れた洗面化粧台に後から変更することが可能となる。
【００１８】
請求項６記載の発明によれば、洗面カウンターと、前記洗面カウンターの下部でかつ、前記洗面カウンターの前面エプロンより後方に取り付けられたキャビネットと、前記キャビネットに取り付けられ、前方へ傾倒するように開閉自在に取り付けられた扉とからなる洗面化粧台において、前記扉の内側に荷物収納部を備えることを特徴とする洗面化粧台とする。
【００１９】
その結果、扉を開けると荷物収納部は扉といっしょに前傾し手前に出てくるため、収納部の奥まで手を伸ばすことなく収納物の出し入れができるようになるといった効果もあり、特に車いす使用者やリウマチ等から手指や上肢が不自由な者に効果的である。
【発明の効果】
【００２０】
以上のように本発明によれば、収納を犠牲にすることのない、座って使いやすい洗面化粧台を提供することができる。更に、座ったままでも物が出し入れできる洗面カウンター下の収納部であり、特に車いす使用者にとって収納を自由に使いこなせる洗面化粧台を提供することができる。
【発明を実施するための最良の形態】
【００２１】
本発明に係る洗面化粧台について、添付図面を参照して説明する。図１は、本発明に係る洗面化粧台の第１の実施形態の全体的な概要を示すものである。この実施形態に示された洗面化粧台１は、大別して、手や顔を洗うための洗面ボウル１２を備えた洗面カウンター１０と、前記洗面カウンター１０の下部でかつ、前記洗面カウンター１０の前面エプロン１４より後方に取り付けられたキャビネット２０と、この洗面カウンター１０とキャビネット２０とを一定の高さに持設するブラケット３０とで構成されている。尚、本実施形態の洗面カウンター１０は、洗面ボウル１２とカウンタートップ１１とで人工大理石等から一体に成形されているものを例にとって説明し、キャビネット２０は木製のパネルにより箱体を形成したものを例にとって説明する。
【００２２】
洗面カウンター１０は、背後にある壁に固設されたブラケット３０等により一定の高さに持設されており、カウンタートップ１１の背部にはカウンタートップ１１の上面にこぼれ出た水が背面へ垂れ落ちるのを防止するバックガード１３が立設され、使用者側に面する前部には、つかまり立ちや座った状態から身体を引き寄せる動作がし易いように前面エプロン１４が下方に向かって垂設されている。
【００２３】
ここで前面エプロン１４は、左右方向に一直線となっている。このため洗面カウンター１０の手前に使用者が立ってアプローチして下側の収納部を使おうとした場合は、使用者が、洗面ボウル１２の正面に立っていても、洗面ボウル１２から向かって右側または左側に立っていても収納部までの直線距離は一定となるので、収納物の出し入れはどこからでもしやすくなっている。もっとも図２に示すように洗面ボウル１２の手前側エプロン中央部１４ｃが、前方、すなわち使用者側へと突出していてもよい。
【００２４】
前面エプロン１４の下端部は、図３のように手前側１４ａおよび奥側１４ｂがそれぞれＲ形状となっている。これは使用者がキャスター付のいすなどに座ったまま身体を引き寄せるために手のひらを上に向けて前面エプロン１４の下端部をつかむときや、車いすでアプローチした際に膝など身体が触れた場合の安全性により配慮したためである。さらに好ましい形態として、図４のように前面エプロン１４の下端部にクッション性のあるゴム製の保護材１４ｄを取り付けることも可能である。
【００２５】
このカウンタートップ１１の上面の高さは、健常者の使用を考慮して、通常床面から７５ｃｍ程度に設定されるのが普通である。
【００２６】
洗面ボウル１２は、図５に示すように、洗面カウンター１０の後方側で、洗面ボウル１２の幅方向中間部に設けられた排水口１６に向かって、すり鉢状に下るように傾斜された傾斜面Ｓ１を形成している。
【００２７】
また、図６に示すように、カウンタートップ１１の平面には、洗面ボウル１２に給水する水栓金具１５を取り付けるための孔も穿設される。（図示せず）本実施形態では、水栓金具１５は、給水弁を開閉する操作レバー１５ａと、洗面ボウル１２内に水を放出する吐水口１５ｂとが独立したタイプとして設けられる。吐水口１５ｂは、洗面ボウル１２のバックガード１３側上端に、使用者に威圧感を与えないよう正面中央を避けた位置に設けられる。
【００２８】
操作レバー１５ａは、車椅子使用者を特に意識しない通常の洗面カウンターにおいては、洗面ボウル奥側、例えば図６において破線（１５ａ’）で示すように、洗面ボウル１２の中央を対称軸として吐水口１５ｂと対称な位置に設けられる。これに対し本実施の形態においては、操作レバー１５ａは、右側手前に設けられているので、右利きの使用者にとって、上体を前屈させることなく操作レバー１５ａに手を届かせることができる。この配置は、特にリウマチ等から手指や上肢が不自由な者、あるいは背の低い子供に効果的である。さらに好ましくは、操作レバー１５ａは、奥行き方向で前面エプロン１４より後方３００ｍｍ〜５００ｍｍまたは、３００ｍｍ〜４００ｍｍに設置するのが望ましい。前記の位置に操作レバー１５ａを設けることにより、使用者は操作レバー１５ａの手前のカウンタートップ１１ａに肘をつきながら、操作レバー１５ａの操作を行うことができるため、流量や吐水温度などの微妙な調節がしやすくなる。また、左利きの使用者のために、洗面ボウル１２及び操作レバー１５ａの位置を左右反転させた構成とすることも可能である。
【００２９】
図７に示すように、排水口１６に接続される排水管１７は、車椅子使用者の脚膝が洗面ボウル１２下に進入するのを妨げないように、排水口１６は洗面カウンター１０の背面側に設けられる。この場合、本実施の形態においては、左右どちらからでもアプローチできるように、洗面ボウル１２の左右方向中央に設けられている。尤も、左右いずれかに偏心した位置に設けてもよい。なお、本実施例では排水管１７の状態を判りやすく説明するため透視した状態で示している。
【００３０】
排水口１６には、図７に示すように、ヘアキャッチャや目皿（図示せず）を載置できるように窪み１６ａが設けられる。これにより、金属製、プラスチック製等のヘアキャッチャや目皿であっても排水流によって流されることなく排水口１６上に定置するので、ゴミ等が排水管１７内に入って排水管１７が詰まることがない。ここで排水管１７は図７のように、キャビネット２０内部に設けられている。排水管１７の取り回しは排水口１６から下方へ垂下させ、後方へ伸び、若干の床側への傾斜をもたせつつ右側の側板２２方向へ伸び、側板２２手前で下方へ垂下させて排水トラップ１７ａを経由し、床下の排水管へ接続するようにＬ字型やＵ字型の管等を組み合わせて構成されている。このような排水管１７の引き回し構造とすることで排水口１６が、洗面カウンター１０の中央部にあっても、洗面化粧台１の右奥に排水位置を設定することができるため、使用者が車いすで奥までアプローチしてもつま先や車いすのフットレストが排水管１７に衝突することがない。さらに取付現場の都合により排水管１７の位置が左右逆であってもまったく同じ排水管１７の部材を逆に取り付けるだけで対応できるようになっている。
【００３１】
尚、本実施例では、露出した下方の排水管１７ｂを隠蔽し外観向上を図るため図８に示すような配管カバー１８を設置している。その構成は平面視でコの字の配管カバー１８と、あらかじめ排水管１７の後方の壁に取り付けられ、配管カバー１８との取付部を有する取付具１９からなっている。配管カバー１８は排水管１７のメンテナンスに備え着脱自在になるように取付具１９に左右両側からねじまたは嵌合により固定される。ここで排水管１７の位置は右寄りとなっているため例えば右側が壁である場合、取付具１９への固定作業が困難である。そこで、図９に示すように、取付具１９の右側に凸部１９ａを設け配管カバー１８のねじ穴と嵌合させるようにし、取付具１９の左側をねじ固定するようにしている。このようにして配管カバー１８を取り付けることで、車いす等の使用者が誤って配管カバー１８に衝突したとしても、衝突時に配管カバー１８へ働く力の方向は左から右に向かうため、配管カバー１８の嵌合部が外れることはない。また、排水管１７の位置が左右逆転していても配管カバー１８と取付具１９を左右逆に取り付ければよい。
【００３２】
キャビネット２０は図１０および図１１に示すように、カウンタートップ１１の両側部１１ａの下面から下方へと垂下し、前面エプロン１４より後方に位置する側板２２と、キャビネット２０の下端で床より高い位置に設けられた棚板２３と前記棚板２３の前面部２３ａに取り付けられ、前方へ傾倒するように開閉自在に取り付けられた扉２１とで構成されている。よって扉２１を開けた状態では座った位置から収納物全体を見渡すことができるようになる。一方、両側板２２の前面部２２ａは棚板２３の前面部２３ａとほぼ面一となっており、扉２１を閉めた状態では両側板２２の前面部２２ａが戸あたり部として機能する。
【００３３】
さらに、扉２１の後方には配管パネル２４がねじ等で側板２２に取り付けられており、扉２１を開けても見苦しい排水管１７が露出しないようになっている。そして、バックガード１３の下面から下方へと垂下する裏板２４ａにより、キャビネット２０は剛性のある箱体として形成されるが、必要に応じて両側板２２を連結する横さん２８とからなる構造により、より強固な構造とすることができる。
【００３４】
図１２は扉２１の取付構造を示している。扉２１には前方へ傾倒させて開閉できるように扉２１の下方と棚板２３の前面部２３ａとの間に丁番２６を取り付けている。丁番２６には必要に応じて扉２１と棚板２３とのすきまや扉２１の位置を調節できるように調整機構を設けている。また、扉２１を前方へ傾倒させたときに扉２１の開き角度を所定の角度に規制するため側板２２の側面と扉２１の裏面との間にステー２５を取り付けている。ここで、所定の角度とは扉２１の開き角度が、使用者が座ったまま開いてもじゃまにならない程度の角度であり、本実施例では、具体的に４５度〜７５度、さらに好ましくは５５度〜６５度程度とした。
【００３５】
これは、扉２１の下端部が床から２００ｍｍ〜３５０ｍｍとなるように扉２１の高さを設定し、扉２１の取付位置として奥行き方向で前面エプロン中央部１４ｃから１５０ｍｍ〜２５０ｍｍと設定した場合、扉２１を開けたときに扉２１の上端部と前面エプロン中央部１４ｃの下端部との距離Ｌが２０ｃｍ〜４０ｃｍを確保できるような設定となる。
このような開き角度および扉の取付位置の設定を行うことにより、使用者がいすに座ったまま扉２１を開けたときでも、使用者の脚膝に扉２１をぶつけることなく使用できるため扉２１開閉時の安全性がさらに高まるとともに、扉２１を閉めるときにも扉２１の上端部へ手が届きやすく閉める時の動作がし易くなる。
【００３６】
丁番２６やステー２５の取付個数は扉２１の大きさや重量等に応じた必要数を取り付けている。さらに、側板２２と扉２１にはキャッチ２７を取り付けており、扉２１を閉じた時には扉２１が直立した状態を保持させ、使用者の意思に反して扉２１が開くことのないようにしている。尤も、側板２２の前面部２２ａが下方に行くにしたがって手前から奥に向かうように傾斜するような形態であってもよく、その場合は、扉２１を閉めた状態では扉２１が前方へ傾倒した状態となり、前述のキャッチ２７は特に有効な部材となる。
【００３７】
ここでキャッチ２７やステー２５は扉２１より後方に取り付けた配管パネル２４を取り出す際にじゃまにならない位置に取り付ける必要があるが、本実施例ではステー２５を扉２１の高さ方向で略中央部に取り付け、キャッチ２７はステー２５の下方に取り付けている。このような配置にすることにより、扉２１を全開にしなくても、配管パネル２４を固定するねじを取り外して、配管パネル２４を前傾させたまま手前に引き出すことができるので、配管パネル２４の後方に配置した止水栓（図示せず）や排水管１７等のメンテナンスが容易に行える。
【００３８】
また、扉２１の裏に図１３に示すように荷物収納部として収納かご２１ａ等を取り付けた場合、扉２１を開けると収納物は扉２１といっしょに前傾し手前に出てくるため、収納部の奥まで手を伸ばすことなく収納物の出し入れができるようになるといった効果もあり、特に車いす使用者やリウマチ等から手指や上肢が不自由な者に効果的である。        すなわち車いす使用者が洗面化粧台を使用している状態で扉を開閉し、後ろに下がることなく内部確認や収納物の出し入れができるようになる。
【００３９】
扉２１に関し好ましい形態として、扉２１の上端部と洗面カウンター１０下部との間に空間を設けるとよい。本実施例では、図１４に示すように、扉２１の高さを下部は扉２１を閉めたときに側板２２の下端とし、扉２１の上部から洗面ボウル１２裏面の最下部までの距離Ｌを約３０ｍｍ程度としている。
【００４０】
その結果、扉２１を開けるときに扉２１の上部に手をいれて容易につかむことができるようになり、扉２１に別途把手やつまみをつける必要がなくなる。
加えて、扉２１の開閉時に、使用者が扉２１の上部のどこをつかんでも開閉ができ、扉２１を開けたときに必要以上に扉２１の前出が大きくならないため、座ったままで扉２１を開閉しても扉２１をよけるために後退する必要がなくなる。さらに、扉２１を閉めるときに扉２１の中央部を持っていても洗面ボウル１２と扉２１の間で指をはさむ危険を回避できる。また、カウンタートップ１１裏面と扉２１との間にはさらに広い空間が構成されるため、例えば、図１４に示すように扉２１の裏側にダストボックス２１ｂを取り付ければ、普段はダストボックス２１ｂを隠蔽でき、わざわざダストボックス２１ｂを取り出さなくても手でゴミを入れやすいといった効果もある。
【００４１】
図１５に示すように、棚板２３はキャビネット２０の下端で床より高い位置に両側板２２の下端部に挟みこまれるように取付けられていて、棚板２３と、床との間に腰掛け状態のつま先を入れることができるつま先用空間Ｚを形成している。このつま先用空間Ｚの奥行きをできるだけ大きくすることにより、例えば車いす使用者は洗面化粧台１が使いやすい位置までアプローチすることができるようになる。そこで、本実施例では使用者の選択により、棚板２３を床から２００ｍｍ〜３５０ｍｍの高さに設定することとした。扉２１の下端も棚板２３の下端とほぼ同一になっている。その結果、使用者にとってはつま先に余裕ができ、座ったままでもよりゆったりと洗面化粧台１を使用することができる。さらに車いすのフットレストにつま先を載せたままより奥まで洗面化粧台１にアプローチできるため車いす使用者の使い勝手が向上する。
【００４２】
尚、側板２２の下端も棚板２３の下端とほぼ同一になっているため、正面だけでなく側面からのアプローチの際もこれらキャビネット２０を構成する部材がじゃまになってアプローチができなくなることはない。
【００４３】
ブラケット３０は例えば、図１４に示すように、洗面カウンター１０を一定の高さに持設するとともにキャビネット２０とも一体化されるようにキャビネットの裏板２４ａおよびブラケット３０を貫通するねじで壁面に固定されている。ここで、本実施例では、ブラケット３０を鉄などの金属製としキャビネット２０とは化粧パーチ、合板等木製材料を使用しているが、例えば、側板２２とブラケット３０を同材質として一体的にして構成しても良い。
【００４４】
次に、本発明に係る洗面化粧台の第２の実施形態について、図を参照して説明する。本実施の形態の洗面化粧台２は、図１６に示すように、内側板２２´および着脱自在の外側板２２を有する点で、第１の実施形態におけるものと基本的に相違し、他の構成は第１の実施形態と実質的に同じであり、同じ符号を付して説明を省略する。
【００４５】
外側板２２はキャビネット２０においてカウンタートップ１１の両側部１１ａの下面から下方へと垂下し、前面エプロン１４より後方に位置しており、内側板２２´は、奥行き方向で外側板２２のさらに後方に位置する。外側板２２は内側板２２´に着脱自在に一体的な固定手段で固定されている。
【００４６】
本第２の実施例では、内側板２２´は図１１のようにあらかじめ壁面に裏板２４´とともに固定されていて、図１６に示すように内側板２２´のさらに内側からねじ２９で外側板２２に固定され、棚板２３は両外側板２２に挟まれるようにして着脱自在に固定されている。尚、扉２１は図１２のように棚板２３に固定され必要に応じて棚板２３に着脱できるようになっている。
【００４７】
このような構成とすることにより、使用者の身体状況や生活環境の変化に応じて、収納部が不要になった場合は棚板２３のみを外側板２２から取り外して洗面カウンター１０の下の空間をより広くして使用することができるようになる。さらに外側板２２および棚板２３を内側板２２´から取り外すことができるので、車いすで側面から洗面化粧台にアプローチした場合でも外側板２２がじゃまになることはなくよりアプローチ性に優れた洗面化粧台に後から変更することが可能となる。
【００４８】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００４９】
例えば、本実施形態では、カウンタートップと洗面ボウルとが一体に成形された洗面カウンタを例にとり説明したが、勿論これらが別々に成形され、カウンタートップ下に洗面ボウルが取り付けられるアンダーカウンタ型であってもよい。この場合、カウンタートップでは大理石や花崗岩等の天然石、洗面ボウルでは陶器、表面側を琺瑯仕上げとした鋼板製、或いはＦＲＰ製など好みの材料を選択できるというメリットが得られる。
【００５０】
また、洗面カウンターは、本実施形態におけるような単独で壁面前に横設されるものであっても、ミラーキャビネット等と一体となって洗面化粧台を構成するものであってもよい。
【図面の簡単な説明】
【００５１】
【図１】本発明に係る洗面化粧台の第１の実施形態の概要を示す斜視図であり第１の実施形態に係るもの、
【図２】第1の実施形態の変形例。
【図３】第１の実施形態に係る洗面化粧台の、前面エプロン断面形状を説明する図は第１の実施形態に係るもの、
【図４】第1の実施形態の変形例。
【図５】図１に示された洗面化粧台の洗面ボウルの断面図。
【図６】図１に示された洗面化粧台の洗面カウンターの平面図。
【図７】図１に示された洗面化粧台の排水部の概要を示す斜視図であり、排水管の取り回しに係るもの。
【図８】配管カバーに係る図。
【図９】配管カバーの取付部に係る図。
【図１０】図１に示された洗面化粧台のキャビネットの概要を示す斜視図。
【図１１】図１に示された洗面化粧台のキャビネット内部の構造を示す斜視図
【図１２】図１０に示されたキャビネットの扉の構造に係るものであり、扉の取り付け構造を示す斜視図。
【図１３】使用方法を示す側面図。
【図１４】使用方法を示す側面図。
【図１５】本発明に係る洗面化粧台の側面図。
【図１６】本発明に係る洗面化粧台の第２の実施形態の概要を示す斜視図。
【図１７】従来例を示す図。
【図１８】従来例を示す図。
【符号の説明】
【００５２】
１      洗面化粧台
２      洗面化粧台
１０    洗面カウンター
１１    カウンタートップ
１１ａ  側部
１２    洗面ボウル
１３    バックガード
１４    前面エプロン
１４ａ  前面エプロン下端手前側
１４ｂ  前面エプロン下端奧側
１４ｃ  前面エプロン中央部
１４ｄ  保護材
１５    水栓金具
１５ａ、１５ａ´  操作レバー
１５ｂ  吐水口
１６    排水口
１６ａ  窪み
１７    排水管
１７ａ  排水トラップ
１７ｂ  排水管露出部分
１８    配管カバー
１９    取付具
１９ａ  凸部
２０    キャビネット
２１    扉
２１ａ  かご
２１ｂ  ダストボックス
２２    側板（外側板）
２２ａ  前面部
２２´  内側板
２３    棚板
２３ａ  前面部
２４    配管パネル
２４ａ  裏板
２５    ステー
２６    丁番
２７    キャッチ
２８    横さん
２９    ねじ
３０    ブラケット
Ｌ      扉の上端部と前面エプロンの下端部との距離
Ｓ１    傾斜面
Ｚ      つま先用空間
【図１】
2006087517.tif 000003
【図２】
2006087517.tif 000004
【図３】
2006087517.tif 000005
【図４】
2006087517.tif 000006
【図５】
2006087517.tif 000007
【図６】
2006087517.tif 000008
【図７】
2006087517.tif 000009
【図８】
2006087517.tif 000010
【図９】
2006087517.tif 000011
【図１０】
2006087517.tif 000012
【図１１】
2006087517.tif 000013
【図１２】
2006087517.tif 000014
【図１３】
2006087517.tif 000015
【図１４】
2006087517.tif 000016
【図１５】
2006087517.tif 000017
【図１６】
2006087517.tif 000018
【図１７】
2006087517.tif 000019
【図１８】
2006087517.tif 000020